(57)【要約】【課題】効率が向上したカメラを提供する。【解決手段】カメラ３にレンズ鏡筒２が着脱可能に装着される装着部３４と、レンズ鏡筒２に含まれる絞り部１０を駆動可能な第１の駆動部３８とを設け、第１の駆動部３８は、入力に応じて作動して絞り部１０を駆動する作動可能状態と、作動が制限された作動制限状態とを切替可能とした。また、第１の駆動部３８は、装着部３４に装着されたレンズ鏡筒２が絞り部１０を駆動可能な第２の駆動部１２を備えている場合に作動制限状態とされることとした。【選択図】図１
2008129425.tif 000002
【特許請求の範囲】
【請求項１】
レンズ鏡筒が着脱可能に装着される装着部と、
前記レンズ鏡筒に含まれる絞り部を駆動可能な第１の駆動部とを備え、
前記第１の駆動部は、入力に応じて作動して前記絞り部を駆動する作動可能状態と、前記作動が制限された作動制限状態とが切替可能であること
を特徴とするカメラ。
【請求項２】
請求項１に記載のカメラにおいて、
前記第１の駆動部は、前記装着部に装着された前記レンズ鏡筒が前記絞り部を駆動可能な第２の駆動部を備えている場合に前記作動制限状態とされること
を特徴とするカメラ。
【請求項３】
請求項２に記載のカメラにおいて、
前記装着部に装着された前記レンズ鏡筒と通信を行う通信部と、
前記通信部の出力に基づいて前記第１の駆動部を制御する制御部とを備えること
を特徴とするカメラ。
【請求項４】
請求項２に記載のカメラにおいて、
前記装着部に装着された前記レンズ鏡筒が前記第２の駆動部を備えているかを検出する検出部と、
前記検出部の出力に基づいて前記第１の駆動部を制御する制御部とを備えること
を特徴とするカメラ。
【請求項５】
請求項１又は請求項２に記載のカメラにおいて、
前記第１の駆動部を前記作動可能状態及び前記作動制限状態の何れかにするかを選択して入力可能な入力部を備えること
を特徴とするカメラ。
【発明の詳細な説明】
【技術分野】
【０００１】
本発明は、カメラに関するものである。
【背景技術】
【０００２】
レンズ鏡筒が着脱可能とされたレンズ交換式のカメラは、レンズ鏡筒に備えられた絞り部を駆動する絞り駆動装置を備えたものが知られている（例えば、特許文献１参照）。
【特許文献１】実開平６−４７９４３号公報
【発明の開示】
【発明が解決しようとする課題】
【０００３】
従来のカメラの絞り駆動装置は、例えば、レンズ鏡筒自体が絞り部を駆動するアクチュエータを備えている場合であってもレリーズスイッチ等からの入力に応じて常に作動するため、効率が悪いという問題があった。
本発明の課題は、効率が向上したカメラを提供することである。
【課題を解決するための手段】
【０００４】
本発明は、以下の解決手段により、前記課題を解決する。なお、理解を容易にするために、本発明の実施形態を示す図面に対応する符号を付して説明するが、これに限定されるものではない。
請求項１の発明は、レンズ鏡筒（２）が着脱可能に装着される装着部（３４）と、前記レンズ鏡筒に含まれる絞り部（１０）を駆動可能な第１の駆動部（３８）とを備え、前記第１の駆動部は、入力に応じて作動して前記絞り部を駆動する作動可能状態と、前記作動が制限された作動制限状態とが切替可能であることを特徴とするカメラ（３）である。
【０００５】
請求項２の発明は、請求項１に記載のカメラにおいて、前記第１の駆動部（３８）は、前記装着部（３４）に装着された前記レンズ鏡筒（２）が前記絞り部（１０）を駆動可能な第２の駆動部（１２）を備えている場合に前記作動制限状態とされることを特徴とするカメラ（３）である。
請求項３の発明は、請求項２に記載のカメラにおいて、前記装着部（３４）に装着された前記レンズ鏡筒（２）と通信を行う通信部（３６）と、前記通信部の出力に基づいて前記第１の駆動部（３８）を制御する制御部（４２）とを備えることを特徴とするカメラ（３）である。
請求項４の発明は、請求項２に記載のカメラにおいて、前記装着部（３４）に装着された前記レンズ鏡筒（２）が前記第２の駆動部（１２）を備えているかを検出する検出部（４４）と、前記検出部の出力に基づいて前記第１の駆動部（３８）を制御する制御部（４２）とを備えることを特徴とするカメラ（１０３）である。
請求項５の発明は、請求項１又は請求項２に記載のカメラにおいて、前記第１の駆動部（３８）を前記作動可能状態及び前記作動制限状態の何れかにするかを選択して入力可能な入力部（３２）を備えることを特徴とするカメラ（３）である。
なお、符号を付して説明した構成は適宜変更してもよく、また、少なくとも一部を他の構成物に代替してもよい。
【発明の効果】
【０００６】
以上説明したように、本発明のカメラによれば、第１の駆動部の作動、非作動を切り替えることができるので、効率が向上する。
【発明を実施するための最良の形態】
【０００７】
［実施形態１］
以下、図面を参照して、本発明のカメラの実施形態１であるカメラ本体部を含むカメラシステムについて説明する。
図１は、実施形態１のカメラシステムの構成を示すブロック図である。
実施形態１のカメラシステム１は、交換レンズ２をカメラ本体部３に対して、例えば、バヨネット式のマウント部を介して着脱可能に装着することができるレンズ交換式の一眼レフカメラシステムである。
このカメラシステム１は、カメラ本体部３に対し、例えば、共通のレンズ側マウント部を備えた複数種類の交換レンズが用意されており、カメラシステム１のユーザは、撮影目的等に応じて任意の交換レンズを選択してカメラ本体部３に装着できるようになっている。
【０００８】
図１に示す交換レンズ２は、第１レンズ群Ｌ１及び第２レンズ群Ｌ２を含む複数のレンズ群を収容したレンズ鏡筒である。なお、図１において、第１レンズ群Ｌ１及び第２レンズ群Ｌ２以外のレンズ群については、図示を省略する。第１レンズ群Ｌ１、第２レンズ群Ｌ２は、光軸方向の物体側から像側に向けてこの順番に配列されている。
【０００９】
この交換レンズ２は、焦点距離等の撮影情報をカメラ本体部３と電気信号によって通信することができる、いわゆるＣＰＵレンズであり、絞り部１０、レンズ絞り駆動部１２、レンズ絞り駆動制御部１４、レンズ側マウント部１６、レンズＣＰＵ１８を備えている。
絞り部１０は、第１レンズ群Ｌ１と第２レンズ群Ｌ２との間に配置され、第１レンズ群Ｌ１と第２レンズ群Ｌ２との間を通過する光束の光量を制御するものである。この絞り部１０は、例えば、複数の図示しない絞り羽根と、これらの絞り羽根を連動させる絞り羽根駆動リング等が組み合わされた公知の光彩絞りである。
【００１０】
レンズ絞り駆動部１２は、上記の絞り羽根駆動リングを駆動する、例えば、ステッピングモータ等のアクチュエータを含んだ第２の駆動部である。絞り部１０は、絞り羽根駆動リングがこのレンズ絞り駆動部１２によって駆動されると、複数の絞り羽根によって形成される開口部の口径が変化し、これによって光束の光量が変化するようになっている。
レンズ絞り駆動制御部１４は、後述するカメラＣＰＵ４２から出力される信号に基づいて、レンズ絞り駆動部１２に備えられたステッピングモータの駆動を制御する部分である。
【００１１】
レンズ側マウント部１６は、交換レンズ２の光軸方向像側に設けられたバヨネットマウントの一部である。
このレンズ側マウント部１６は、レンズ通信接点１６ａを備えている。
レンズ通信接点１６ａは、交換レンズ２の光軸方向像側に露出した電気接点であり、交換レンズ２がカメラ本体部３に装着されることによって、カメラ本体部３に備えられた後述するカメラ通信接点３４ａに接触するようになっている。カメラシステム１は、これによって、カメラ本体部３と交換レンズ２とが電気的に接続され、カメラ本体部３及び交換レンズ２は、互いの通信接点を介してＡＦ制御用の信号やＡＥ制御用の信号等の各種撮影情報のやりとりが可能となっている。
レンズＣＰＵ１８は、上述の絞り駆動制御部１４を含む交換レンズ２を構成する各要素を統括的に制御する部分である。
【００１２】
カメラ本体部３は、カメラボディ２０、撮像素子２２、シャッターユニット２４、ミラーユニット２６、ファインダスクリーン２８、プリズム３０、メニュー設定用ＬＣＤ３２（ＬＣＤ３２）、カメラ側マウント部３４、カメラ通信部３６、カメラ絞り駆動部３８、カメラ絞り駆動制御部４０、カメラＣＰＵ４２を備えている。
カメラボディ２０は、後述する撮像素子２２やミラーユニット２６等をその内部に収容するカメラ本体部３の筐体であり、例えば、合成樹脂材料又はマグネシウム等の金属材料によって形成されている。
撮像素子２２は、交換レンズ２に備えられた撮影光学系により結像された被写体像光を電気信号に変換する光−電気変換素子である。撮像素子２２は、カメラボディ２０の内部における背面側（撮影者側）の領域に配置されている。
【００１３】
シャッターユニット２４は、撮像素子２２の入射面側に配置されている。シャッターユニット２４は、図示しないレリーズスイッチの入力に応じてそれぞれ駆動される先幕と後幕とを備え、カメラシステム１は、後述するカメラＣＰＵ４２がこれらの先幕、後幕の駆動タイミングを制御することによって予め設定された露光時間の間、撮像素子の撮像面に撮像光学系を通過した像光を露光するようになっている。
【００１４】
ミラーユニット２６は、カメラボディ２０の内部であって、シャッターユニット２４よりも光軸方向の物体側に配置され、メインミラー２６ａ及びサブミラー２６ｂを備えている。
メインミラー２６ａは、撮像光学系を通過した光を後述するプリズム３０に向けて反射する鏡である。このメインミラー２６ａは、いわゆるハーフミラーであり、光の一部を透過させるようになっている。
【００１５】
メインミラー２６ａは、その反射面が光軸に対して、例えば、４５°傾斜した状態で配置され、撮影時にレリーズスイッチからの入力に応じてその端部に設けられた軸回りに回動して反射面が光軸に対して略平行となる位置に退避する、いわゆる、クイックリターンミラーである。
サブミラー２６ｂは、メインミラー２６ａを透過した光の進路をメインミラー２６ａとは反対の方向に屈曲させてメインミラー２６ａの下方に配置された測距部２６ｃに反射する鏡である。
【００１６】
ファインダスクリーン２８は、メインミラー２６ａにより反射された像光を結像するスクリーンであり、メインミラー２６ａの上方に配置されている。
プリズム３０は、ファインダスクリーン２８に結像された像を正立像とするとともにカメラボディ２０の背面に設けられた接眼光学系３０ａに導く光学素子である。プリズム３０と接眼光学系３０ａとの間には、測光素子を含む測光装置３０ｂが配置されている。
【００１７】
ＬＣＤ３２は、例えば、カメラボディ２０の背面に設けられた液晶表示装置である。このＬＣＤ３２は、例えば、シャッタースピード、ＩＳＯ感度、絞り値（Ｆ値）等を撮影者が設定するメニュー画面を表示可能な入力部である。
カメラ側マウント部３４は、カメラボディ２０の前面（撮影時において被写体に対向する面部）に設けられたバヨネット部他からなる。交換レンズ２は、このカメラ側マウント部３４を介してカメラ本体部３に装着され、カメラ側マウント部３４は、装着部として機能する。
【００１８】
カメラ側マウント部３４は、カメラ通信接点３４ａを備えている。
カメラ通信接点３４ａは、交換レンズ２がカメラ本体部３に装着された状態において、前述のレンズ通信接点１６ａに接触する電気接点であり、カメラ側マウント部３４の光軸方向像側に露出している。
カメラ通信部３６は、レンズ通信接点１６ａ及びカメラ通信接点３４ａを介して交換レンズ２に備えられた不図示のレンズ通信部と各種情報の通信を行う部分である。
【００１９】
ここで、カメラ本体部３に装着が可能な複数種類の交換レンズは、いずれも図１に示す交換レンズ２に備えられた絞り部１０と同様な機能を有する絞り部を備えている。
そして、これらの交換レンズは、図１に示す交換レンズ２のようにレンズ絞り駆動部１２を備え、このレンズ絞り駆動部１２がカメラＣＰＵ４２から入力される信号に応じて絞り部１０を駆動するタイプ（アクチュエータ内蔵タイプ）、及び、アクチュエータ等のレンズ絞り駆動部１２を備えないタイプの二つのタイプのものがある。
【００２０】
カメラ絞り駆動部３８は、上述のレンズ絞り駆動部１２を備えないタイプの交換レンズ（以下、交換レンズ４と称して説明する）の絞り部を駆動する第１の駆動部である。なお、交換レンズ４は、図示を省略する。
カメラ絞り駆動部３８は、カメラ側マウント部３４の端部から光軸方向物体側に向けて突き出して設けられたレバー３８ａを備えている。また、交換レンズ４の絞り部は、交換レンズ４がカメラ本体部３に装着された状態において、このレバー３８ａに機械的に係合する不図示の係合部を備えている。
この係合部は、絞り部に備えられた絞り羽根駆動リングに接続されており、交換レンズ４の絞り部の絞り羽根は、カメラ本体部３のレバー３８ａが駆動されるとこれに連動して駆動されるようになっている。
【００２１】
カメラ絞り駆動部３８は、レバー３８ａを駆動する図示しないソレノイド、モータ、センサ等を備えており、レバー３８ａは、例えば、撮影時にメインミラー２６ａに連動して作動するようになっている。交換レンズ２及び交換レンズ４の絞り部は、フレーミング時において開放状態とされ、露光時にメインミラーが退避位置に移動（ミラーアップ）すると、これに連動して絞り羽根が駆動されて絞り部１０の口径が小さくなる（光量が絞り込まれる）ようになっている。
【００２２】
カメラ絞り駆動制御部４０は、カメラ絞り駆動部３８に備えられたソレノイド、モータ等を制御する部分であり、設定された絞り値に応じて、モータの駆動量等を制御するようになっている。
【００２３】
カメラＣＰＵ４２は、カメラ本体部３に備えられた撮像素子２２、カメラ絞り駆動制御部４０等の各要素を統括的に制御する制御部である。
このカメラＣＰＵ４２は、カメラ通信部３６からの出力に応じて、カメラ側マウント部３４に装着された交換レンズ（交換レンズ２又は交換レンズ４）がレンズ絞り駆動部１２を有しているか否かを判定し、カメラ絞り駆動部３８の作動、非作動を切り替えるようになっている。
具体的に説明すると、カメラ本体部３に交換レンズ４が装着された場合、カメラＣＰＵ４２は、カメラ絞り駆動制御部４０を制御してカメラ絞り駆動部３８を作動可能状態にして、レバー３８ａがメインミラー２６ａと連動して駆動されようにする。
これに対し、カメラＣＰＵ４２は、カメラ本体部３に交換レンズ２が装着された場合、カメラ絞り駆動制御部４０を制御してカメラ絞り駆動部３８を作動制限状態にし、レバー３８ａが作動しないようにする。
【００２４】
以下、カメラＣＰＵ４２の行うカメラ絞り駆動部３８の作動制御について、フローチャートを用いて説明する。
図２は、カメラＣＰＵの行う制御を示すフローチャートである。
以下、ステップ毎に説明する。
（ステップＳ０１：レンズ情報要求）
カメラＣＰＵ４２は、例えば、撮影者によってレリーズスイッチが操作されると、装着された交換レンズ（交換レンズ２又は交換レンズ４）に対してズームレンズの焦点距離等の撮影情報を問い合わせる信号を発信する。また、カメラＣＰＵ４２は、この撮影情報と併せて交換レンズがレンズ絞り駆動部１２を備えているか否かを問い合わせる。
【００２５】
（ステップＳ０２：レンズ情報受信）
レンズＣＰＵ１８は、カメラＣＰＵ４２からの問い合わせ信号に応じて、撮影情報、及び、レンズ絞り駆動部１２を備えているか否かを判定可能な情報を含む信号を発信する。
カメラＣＰＵ４２は、カメラ通信部３６を介してレンズＣＰＵ１８からの信号を受信し、ステップＳ０３に進む。
（ステップＳ０３：レンズ絞り部有無判定）
カメラＣＰＵ４２は、レンズＣＰＵ１８からの出力に基づいて、この交換レンズがレンズ絞り駆動部１２を備えているか否かを判定する。この結果、装着された交換レンズがレンズ絞り駆動部１２を備えている場合、すなわち、図１に示す交換レンズ２が装着された場合には、ステップＳ０４に進む。
また、装着された交換レンズがレンズ絞り駆動部１２を備えていない場合、すなわち、交換レンズ４が装着された場合にはステップＳ０５に進む。
【００２６】
（ステップＳ０４：カメラ絞り駆動部作動制限制御）
カメラＣＰＵ４２は、カメラ絞り駆動部３８の作動を制限する制御を行う。
具体的に説明すると、カメラＣＰＵ４２は、カメラ絞り駆動部３８に備えられたソレノイド、モータ、センサ等への電気の供給を停止する制御を行い、これによって、カメラ絞り駆動部３８のレバー３８ａの駆動が制限される。
（ステップＳ０５：カメラ絞り駆動部作動許可制御）
カメラＣＰＵ４２は、カメラ絞り駆動部３８に備えられたソレノイド、モータ、センサ等への電気の供給を許可する制御を行う。これによって、カメラ絞り駆動部３８は、レリーズスイッチに連動したレバー３８ａの駆動が可能となる。
【００２７】
以上説明したように、本実施形態のカメラシステム１によれば以下の効果を得ることができる。
（１）カメラシステム１は、カメラ本体部３に装着された交換レンズがアクチュエータ内蔵式である場合、すなわち、カメラ本体部３に備えられたカメラ絞り駆動部３８を作動させなくても交換レンズ２の絞り部１０の口径を変更できる場合には、カメラ絞り駆動部３８に電気を供給しないから、消費電力を低減できるので効率がよい。
（２）カメラ本体部３は、交換レンズ２が装着された場合にカメラ絞り駆動部３８のレバー３８ａが作動しないので、このレバー３８ａの作動音の発生を防止できる。したがって、撮影者は、カメラを快適に操作できる。
（３）カメラ本体部３は、機械的に駆動されるレバー３８ａが作動しないので、例えば、レバー３８ａを支持する軸受等において磨耗が発生しない。これによって、磨耗によるダストの発生並びにこのダストの撮像面への付着等を防止できる。
【００２８】
［実施形態２］
次に、本発明のカメラの実施形態２であるカメラ本体部１０３を含むカメラシステム１０１について説明する。なお、この実施形態２及び後述する実施形態３において、上述した実施形態１と同様な機能を果たす部分には、同一の符号又は末尾に統一した符号を付して、重複する説明や図面を適宜省略する。
図３は、実施形態２のカメラシステムの構成を示すブロック図である。
【００２９】
実施形態２のカメラシステム１０１も、実施形態１のカメラシステム１と同様にカメラ本体部１０３に複数種類の交換レンズが選択的に装着されるものであり、これらの交換レンズがレンズ絞り駆動部１２を備えているか否かに応じて、カメラ絞り駆動部３８の駆動を制御するものである。
カメラ本体部１０３は、検出スイッチ４４を備えている。
この検出スイッチ４４は、例えば、カメラ本体部１０３のカメラ側マウント部３４において、カメラ通信接点３４ａとは別の箇所に設けられている。
【００３０】
また、交換レンズは、レンズ絞り駆動部１２を備える交換レンズ２と、レンズ絞り駆動部１２を備えない交換レンズ４とで、交換レンズがカメラ本体部１０３に装着された際に検出スイッチ４４に接触する位置の形状が異なっている。
カメラ本体部１０３は、カメラＣＰＵ４２が検出スイッチ４４を介して交換レンズ２、交換レンズ４のマウント部の形状差を認識することによって、装着された交換レンズがレンズ絞り駆動部１２を備えるか否かを判定するようになっている。
【００３１】
実施形態２のカメラシステム１０１は、交換レンズ（交換レンズ２又は交換レンズ４）がレンズ絞り駆動部１２を備えているか否かを判定可能な専用の検出スイッチ４４を設けたから、例えば、装着された交換レンズがＡＦ制御等に用いるレンズ通信接点１６ａを備えていない場合であっても確実にカメラ絞り駆動部３８の作動を制御できる。
【００３２】
［実施形態３］
次に本発明のカメラの実施形態３であるカメラ本体部を備えたカメラシステム２０１について説明する。なお、カメラシステム２０１の構成は、図１に示す実施形態１のカメラシステム１と同様のため、本実施形態３は、図１を用いて説明する。
実施形態３のカメラシステム２０１は、カメラ本体部３に備えられたメニュー設定用ＬＣＤ３２に表示されたメニュー画面を用いて撮影者がカメラＣＰＵ４２に対して入力することによって、カメラ本体部３に備えられたカメラ絞り駆動部３８の作動、非作動（オン、オフ）を手動で選択するものである。
実施形態３のカメラシステム２０１は、メニュー画面によってカメラ本体部３のカメラ絞り駆動部３８を非作動にする選択がされた場合、カメラＣＰＵ４２がカメラ絞り駆動制御部４０を制御して、カメラ絞り駆動部３８の作動を制限する。
これによって、アクチュエータ内蔵タイプの交換レンズ２が装着された場合に、カメラ本体部３のカメラ絞り駆動部３８の作動を制限できるので、消費電力を低減できる。
【００３３】
［変形形態］
本発明のカメラは、以上説明した実施形態に限定されることなく、種々の変形や変更が可能であって、それらも本発明の技術的範囲内である。
（１）実施形態１のカメラシステムは、カメラＣＰＵからの問い合わせ信号に応じて、交換レンズがレンズ絞り駆動部を備えているか否かを判定可能な信号を出力したが、交換レンズの種類の判定手法は、これに限られず、以下のような手法をとることもできる。
例えば、カメラ本体部のメモリ装置等に過去に製造された交換レンズに関するデータを保存するとともに装着された交換レンズの種類を特定可能な情報を通信によって取得し、この取得情報と保存データとを照合して装着された交換レンズがレンズ絞り駆動部を備えているか否かを判定してもよい。
（２）実施形態のカメラは、デジタルカメラであったが、これに限らず、撮像部に銀塩フィルムを用いたフィルムカメラであってもよい。
【図面の簡単な説明】
【００３４】
【図１】実施形態１のカメラシステムの構成を示すブロック図である。
【図２】図１のカメラシステムに備えられたカメラＣＰＵが行う制御を示すフローチャートである。
【図３】実施形態２のカメラシステムの構成を示すブロック図である。
【符号の説明】
【００３５】
１  カメラシステム  ：  ２  交換レンズ  ：  ３  カメラ本体部  ：  １０  絞り部  ：  １２  レンズ絞り駆動部  ：  ３４  カメラ側マウント部  ：  ３６  カメラ通信部  ：  ３８  カメラ絞り駆動部  ：  ４２  カメラＣＰＵ
【図１】
2008129425.tif 000003
【図２】
2008129425.tif 000004
【図３】
2008129425.tif 000005